(57)【要約】      （修正有）【課題】片足ずつストレッチをしたり、同時にペダルを踏み込んで脚部を前後に揺動させることでストレッチしたりすることができ、さらに、腰掛けた姿勢でスクワットトレーニングをすることもでき、簡単に使え、且つストレッチ又はスクワットの動作によってフィットネスを行うことができる、スクワット及びストレッチマシンを提供する。【解決手段】本体１０、減衰機構、ペダルユニット３０を備える、スクワット及びストレッチマシンであって、減衰機構のシリンダチューブ２２１に複数個の位置決め孔２２２が形成され、本体１０は、管体２１と位置決めロッド２１３を有し、シリンダチューブ２２１が管体２１内に挿入され、位置決めロッド２１３が各位置決め孔２２２の１つに対応して互いに結合され、シリンダチューブ２２１上に高さ調整可能なシートクッション２３が設けられる。【選択図】図２
0003230410.tif 000002
【実用新案登録請求の範囲】
【請求項１】
本体、減衰機構、ペダルユニット及び２つの角度検出器を備えるスクワット及びストレッチマシンであって、
前記本体は、２つのグリップを有する底部フレームを有し、
前記減衰機構は、管体、エアシリンダ及びシートクッションを有し、該管体の一端が前記底部フレームの一端に取り付けられ、該管体の他端が開口を有し、該管体の壁部に位置決めベースとガイド溝が設けられ、該位置決めベースとガイド溝はそれぞれ、該管体の内部に連通し、該位置決めベースに、一端が該管体の内部まで貫通する調節ロッドが取り付けられ、該エアシリンダは、シリンダチューブと伸縮ロッドを有し、該シートクッションと、該伸縮ロッドにおける該シリンダチューブの外側に位置する自由端とが接続され、該シリンダチューブの壁面の軸方向に複数の位置決め孔が形成され、また、該シリンダチューブの壁面にガイドピンが設けられ、該シリンダチューブが該管体内に挿入され、該ガイドピンが該ガイド溝内に位置し、該調節ロッドが該シリンダチューブの各位置決め孔の１つに対応して互いに結合され、
前記ペダルユニットは、ロッド台、右支持台、左支持台、右ペダル、左ペダル及び複数の弾性リングを備え、該ロッド台は、前記底部フレームの他端に設けられるとともに、主軸が組み付けられ、更に、該主軸の両端に対応し且つ該底部フレームの下方の位置に、該右支持台と左支持台がそれぞれ設けられ、該右ペダルと左ペダルの下方に、右底部ロッドと左底部ロッドがそれぞれ設けられ、該右底部ロッドの一端と該右支持台との間、及び、該右底部ロッドの他端と右支持台との間にそれぞれ、前記弾性リングが設けられ、該左底部ロッドの一端と左支持台との間、及び、該左底部ロッドの他端と左支持台との間にそれぞれ該弾性リングが設けられ、
前記角度検出器が前記右底部ロッドに設置され、該右底部ロッドと前記主軸との間は距離が空けられており、もう１つの前記角度検出器が、前記左底部ロッドに設置され、該左底部ロッドと主軸との間は距離が空けられていることを特徴とするスクワット及びストレッチマシン。
【請求項２】
前記位置決めベースにネジ孔が穿設され、前記調節ロッドは、該位置決めベースのネジ孔と互いに接続する調節ネジであり、該調節ネジの端部は、前記管体内に突出するように進入し且つ前記シリンダチューブにおける前記位置決め孔の１つと互いに結合することができる位置決めロッドであることを特徴とする、請求項１に記載のスクワット及びストレッチマシン。
【請求項３】
前記底部フレームの前方及び後方に、前部バーと後部バーがそれぞれ設けられ、該底部フレームに直立状の立柱フレームが設けられ、該立柱フレームの両側はそれぞれ前記グリップであり、該各グリップはそれぞれ、該底部フレームの両側に位置するとともに該底部フレームと互いに接続され、前記減衰機構の管体は、該前部バーに取り付けられ、前記ペダルユニットのロッド台は、前記後部バーの上方に位置し、前記右支持台と左支持台が該後部バーの下方に設けられることを特徴とする、請求項１又は２に記載のスクワット及びストレッチマシン。
【請求項４】
前記右底部ロッドと左底部ロッドにそれぞれ主軸ベースが設けられ、該右底部ロッドの主軸ベースと前記主軸の一端が枢着され、該左底部ロッドの主軸ベースと主軸の他端が枢着されることを特徴とする、請求項３に記載のスクワット及びストレッチマシン。
【請求項５】
前記右底部ロッドの両端にそれぞれ右支持ロッドが設けられ、前記右支持台の両側にそれぞれ右掛合ロッドが設けられ、前記弾性リングが該右支持ロッドと右掛合ロッドに設けられ、前記左底部ロッドの両端にそれぞれ左支持ロッドが設けられ、前記左支持台の両側にそれぞれ左掛合ロッドが設けられ、前記弾性リングが該左支持ロッドと左掛合ロッドに設けられることを特徴とする、請求項４に記載のスクワット及びストレッチマシン。
【請求項６】
前記立柱フレームにディスプレイが設けられ、前記各角度検出器により検出された情報が該ディスプレイに伝送されることを特徴とする、請求項５に記載のスクワット及びストレッチマシン。
【考案の詳細な説明】
【技術分野】
【０００１】
本考案は、フィットネス器具に関するものであり、特に、使用者がスクワット又はストレッチなどの運動を行うことができるフィットネス用のスクワット及びストレッチマシンに関するものである。
【背景技術】
【０００２】
現在、様々な種類のフィットネス用の運動器具が販売されており、使用者が鍛えようとする部分それぞれに対して各種のフィットネス器具が設計、製造されている。そのため、それらの器具は身体の１つの部分しか鍛えられず、複数の部分を鍛えたいという使用者の要望を完全には満たせず、また、複数の機能を有する機器であっても、構造が複雑で操作がしづらいうえ、価格が高いといった欠点と課題があった。
【考案の概要】
【０００３】
故に、本考案者はその後、従来技術の課題と欠点に鑑み、簡単な構造で且つ操作しやすいフィットネス器具を案出した。このフィットネス器具は、片足ずつストレッチをしたり、同時にペダルを踏み込んで脚部を前後に揺動させることでストレッチしたりすることができ、さらに、腰掛けた姿勢でスクワットトレーニングをすることもできるので、簡単に使え、且つストレッチ又はスクワットの動作によってフィットネスを行う、との目的を達成できる。
【０００４】
上記の考案の目的を達成するために本考案が用いる技術手段は、本体、減衰機構、ペダルユニット及び２つの角度検出器を備えるスクワット及びストレッチマシンであって、前記本体は、２つのグリップを有する底部フレームを有し、前記減衰機構は、管体、エアシリンダ及びシートクッションを有し、該管体の一端が前記底部フレームの一端に取り付けられ、該管体の他端が開口を有し、該管体の壁部に位置決めベースとガイド溝が設けられ、該位置決めベースとガイド溝は、それぞれ、該管体の内部に連通し、該位置決めベースに、一端が該管体の内部まで貫通する調節ロッドが取り付けられ、該エアシリンダは、シリンダチューブと伸縮ロッドを有し、該シートクッションと、該伸縮ロッドにおける該シリンダチューブの外側に位置する自由端とが接続され、該シリンダチューブの壁面の軸方向に複数個の位置決め孔が形成され、また、該シリンダチューブの壁面にガイドピンが設けられ、該シリンダチューブが該管体内に挿入され、該ガイドピンが該ガイド溝内に位置し、該調節ロッドが該シリンダチューブの各位置決め孔の１つに対応して互いに結合され、前記ペダルユニットは、ロッド台、右支持台、左支持台、右ペダル、左ペダル及び複数の弾性リングを備え、該ロッド台は、前記底部フレームの他端に設けられるとともに、主軸が組み付けられ、また、該主軸の両端に対応し且つ該底部フレームの下方の位置に、該右支持台と左支持台がそれぞれ設けられ、該右ペダルと左ペダルの下方に、右底部ロッドと左底部ロッドがそれぞれ設けられ、該右底部ロッドの一端と該右支持台との間、及び、該右底部ロッドの他端と該右支持台との間に、それぞれ、前記弾性リングが設けられ、該左底部ロッドの一端と該左支持台との間、及び、該左底部ロッドの他端と該左支持台との間に、それぞれ、該弾性リングが設けられ、前記角度検出器が前記右底部ロッドに設置され、該右底部ロッドと前記主軸との間は距離が空けられており、もう１つの前記角度検出器が、前記左底部ロッドに設置され、該左底部ロッドと主軸との間は距離が空けられている。
【０００５】
前記スクワット及びストレッチマシンは、前記位置決めベースにネジ孔が穿設され、前記調節ロッドは、該位置決めベースのネジ孔と互いに接続する調節ネジであり、該調節ネジの端部は、前記管体内に突出して進入し且つ前記シリンダチューブにおける前記位置決め孔の１つと互いに結合することができる位置決めロッドである。
【０００６】
前記スクワット及びストレッチマシンは、前記底部フレームの前方及び後方に、前部バーと後部バーがそれぞれ設けられ、該底部フレームに直立状の立柱フレームが設けられ、該立柱フレームの両側はそれぞれ前記グリップであり、該各グリップは、それぞれ、該底部フレームの両側に位置するとともに該底部フレームと互いに接続され、前記減衰機構の管体は、該前部バーに取り付けられ、前記ペダルユニットのロッド台は前記後部バーの上方に位置し、前記右支持台と左支持台が該後部バーの下方に設けられる。
【０００７】
前記スクワット及びストレッチマシンは、前記右底部ロッドと左底部ロッドに、それぞれ主軸ベースが設けられ、該右底部ロッドの主軸ベースと前記主軸の一端が枢着され、該左底部ロッドの主軸ベースと該主軸の他端が枢着される。
【０００８】
前記スクワット及びストレッチマシンは、前記右底部ロッドの両端に、それぞれ右支持ロッドが設けられ、前記右支持台の両側に、それぞれ右掛合ロッドが設けられ、前記弾性リングが該右支持ロッドと右掛合ロッドに設けられ、前記左底部ロッドの両端に、それぞれ左支持ロッドが設けられ、前記左支持台の両側に、それぞれ左掛合ロッドが設けられ、前記弾性リングが該左支持ロッドと左掛合ロッドに設けられる。
【０００９】
前記スクワット及びストレッチマシンは、前記立柱フレームにディスプレイが設けられ、前記各角度検出器により検出された情報が該ディスプレイに伝送される。
【考案の効果】
【００１０】
前記手段を用いることにより、本考案は、シートクッションの高さを簡単に且つ素早く調節することにより、脚部を乗せてストレッチ運動を行うことができ、また、身長の異なる使用者がシートクッションの高さを調節することにより、腰掛けた姿勢でシートクッションを下向きに移動させ、また上向きに戻してスクワット運動を行うことができ、さらに、使用者は、左ペダルと右ペダルを、両足とも同じ方向に踏み込むか又は両足を互いに反対の方向に踏み込んで揺動させてストレッチ運動を行うことができ、踏み込みの過程での左右ペダルの揺動角度又は速度はいずれも、角度検出器によって測定可能であるとともに、ディスプレイに伝送して表示することもできることから、操作が簡単且つ容易であり、さらに、使用者のニーズに応じてストレッチやスクワット等複数の運動を行うことができる。
【図面の簡単な説明】
【００１１】
【図１】本考案の外観斜視図である。
【図２】本考案の部分分解斜視図である。
【図３】本考案の別の部分分解斜視図である。
【図４】本考案により使用者が脚部のストレッチを行う際の模式図である。
【図５】本考案により使用者がスクワットを行う際の模式図である。
【図６】本考案により使用者がスクワットを行う際の別の模式図である。
【図７】本考案により使用者が足をそろえて前後に踏み込む運動を行う際の模式図である。
【図８】本考案により使用者が足を互い違いに交互に踏み込む運動を行う際の模式図である。
【考案を実施するための形態】
【００１２】
図１及び図３に示すように、本考案のスクワット及びストレッチマシンは、本体１０、減衰機構２０、ペダルユニット３０及び２つの角度検出器４０を備える。
【００１３】
図２に示すように、前記本体１０は、底部フレーム１１を有するフレームであり、該底部フレーム１１の前方に前部バー１１１が、後方に後部バー１１２が設けられ、該前部バー１１１と後部バー１１２との間は距離が空けられており、該底部フレーム１１の上方に、直立状で且つ２つのグリップ１２１を有する立柱フレーム１２が設けられ、該各グリップ１２１はそれぞれ、該底部フレーム１１の両側に接続される。尚、前記立柱フレーム１２には、フィットネス中の使用者の生理的な情報や関連データを表示することができるディスプレイ１３が設けられるが、これは従来技術であるため、詳細な説明はしない。
【００１４】
前記減衰機構２０は、管体２１、エアシリンダ２２及びシートクッション２３を有し、該管体２１は、一端が前記前部バー１１１に固定され、他端に開口を有し、壁部に位置決めベース２１１が設けられた中空の長い管であり、該位置決めベース２１１に、一端が該管体２１の内部まで貫通する調節ロッドを取り付けることができ、図に示す具体的な実施形態のように、該位置決めベース２１１に、該管体２１の内部に連通するネジ孔が穿設され、該調節ロッドは、該位置決めベース２１１のネジ孔と接続可能な調節ネジ２１２であり、該調節ネジ２１２の端部は、該管体２１内に突出するように進入する位置決めロッド２１３であり、該調節ネジ２１２は、該管体２１から取りはずすことができ、さらに、該管体２１の壁面に、該管体２１の内部に連通するガイド溝２１０が形成される。
【００１５】
図２及び図４に示すように、エアシリンダ２２は、シリンダチューブ２２１と伸縮ロッド２２４を有し、該伸縮ロッド２２４の一端が該シリンダチューブ２２１内に穿設されるとともに、両者の間にガスが充填されることにより、該伸縮ロッド２２４は、外力がかかると該シリンダチューブ２２１に対して下方に移動し、外力がかからないと該シリンダチューブ２２１に対して上方に移動するが、この部分の構成は従来技術であるため、詳細な説明はしない。前記伸縮ロッド２２４の他端は、前記シートクッション２３に接続され、前記シリンダチューブ２２１の壁面に複数個の位置決め孔２２２が形成され、該各位置決め孔２２２は、軸線方向に間隔を空けて配設され、また、ガイドピン２２３が設けられ、前記エアシリンダ２２のシリンダチューブ２２１は前記管体２１内に挿入され、該ガイドピン２２３は前記ガイド溝２１０内に位置して、該シリンダチューブ２２１を該管体２１に対して直線方向に上下移動させ、また、前記調節ネジ２１２は、該シリンダチューブ２２１の前記各位置決め孔２２２のうちの１つに対応して、該調節ネジ２１２と位置決めベース２１１とが結合された後に、該調節ネジ２１２の位置決めロッド２１３が該位置決め孔２２２内に挿入されることにより、使用者は、フィットネス時の該シートクッション２３の高さを調節することができる。
【００１６】
図３及び図４に示すように、ペダルユニット３０は、ロッド台３１、右支持台３２、左支持台３３、右ペダル３４、左ペダル３５及び複数の弾性リング３６を備え、該ロッド台３１は、前記底部フレーム１１の後部バー１１２に固定され、該ロッド台３１に主軸３１１が組み付けられ、また、該主軸３１１の両端且つ後部バー１１２の下方に、該右支持台３２と左支持台３３がそれぞれ設けられ、該右支持台３２の前側と後ろ側にそれぞれ、右掛合ロッド３２１が設けられ、該左支持台３３の前側と後ろ側にそれぞれ、左掛合ロッド３３１が設けられ、図に示す具体的な実施形態の該右掛合ロッド３２１と左掛合ロッド３３１はいずれもＬ字形であり、該右ペダル３４の底面に、主軸ベース３４３と２つの右支持ロッド３４２が設けられた右底部ロッド３４１が設けられ、該主軸ベース３４３は、該２つの右支持ロッド３４２の間に位置し、該主軸ベース３４３と主軸３１１の一端部とが互いに枢着され、該左ペダル３５の底面に、主軸ベース３５３と２つの左支持ロッド３５２が設けられた左底部ロッド３５１が設けられ、該主軸ベース３５３は、該２つの左支持ロッド３５２の間に位置し、該主軸ベース３５３と主軸３１１の他端部とが互いに枢着され、該各右支持ロッド３４２と、対応する該各右掛合ロッド３２１との間にそれぞれ、該弾性リング３６が設けられ、該各左支持ロッド３５２と、対応する該各左掛合ロッド３３１との間に、該弾性リング３６が設けられることにより、該右ペダル３４及び左ペダル３５が揺動する際に減衰力が働く。
【００１７】
前記角度検出器４０の１つは、前記左ペダル３５の底面の左底部ロッド３５１に設置されており、該角度検出器４０と、前記主軸３１１が貫通して枢設される前記主軸ベース３５３との間は距離が空けられている。前記角度検出器４０は、従来の製造方法による部品であり周知の技術であるため、細部の構造について詳細な説明は行わないが、前記左ペダル３５が前記主軸３１１に対して前後に揺動するだけで、前記左底部ロッド３５１の主軸３１１に対する往復運動の角度情報を検出することができ、さらに、前記右ペダル３４の底面の右底部ロッド３４１に別の角度検出器４０が設置されており、該別の角度検出器４０と、該主軸３１１が貫通して枢設される前記主軸ベース３４３との間は距離が空けられており、該右ペダル３４が主軸３１１に対して前後に往復して回動するだけで、該右底部ロッド３４１の主軸３１１に対する往復回動の角度情報を検出することができ、それによって該右ペダル３４の運動情報を検出し、また、該各角度検出器４０により検出された各情報は、無線伝送方式又は信号ケーブル接続によって前記ディスプレイ１３に伝送され、表示される。
【００１８】
図１及び図４に示すように、使用者は、図４のようなストレッチ運動を行う際、体型の違いに応じて前記シートクッション２３の高さを調節することができ、使用者は一方の足で地面に立ち、もう一方の足を該シートクッション２３に乗せ、両手で前記グリップ１２１を握って、腰を曲げる動作を組み合わせることで、足のストレッチ動作を行うことができる。
【００１９】
図１、図５及び図６に示すように、使用者は、スクワット運動を行う際、図５のように腰掛ける姿勢で前記シートクッション２３に座る、又は体型の違いに応じて該シートクッション２３の高さ位置を調節して、腰掛ける姿勢で下へ深くしゃがんで力を加えることにより、図６に示すように、該シートクッション２３が、前記エアシリンダ２２の抵抗に反して下向きに移動し、逆に、使用者が下に向かって深くしゃがむ力を緩めると、該エアシリンダ２２の伸縮ロッド２２４の復元力によって、該シートクッション２３を逆の上向きに移動させることができ、力を加える動作と緩める動作を繰り返すことによって、スクワット運動を行うことができる。
【００２０】
図１及び図７に示すように、使用者は、図７に示すようなストレッチ運動を行う際、両足を前記ペダルユニット３０の右ペダル３４及び左ペダル３５に乗せてそれぞれに立ち、両手で前記立柱フレーム１２のグリップ１２１を握り、両足のかかとで同時に下向きに力を加えるとともに、該右ペダル３４及び左ペダル３５を後ろへ傾斜させると、足裏部位が上向きに回動して、前側に位置する前記各弾性リング３６が伸びて弾力に抵抗し、使用者の脚部が後方に引っ張られた状態になるため、両足同時にストレッチ運動することができる。
【００２１】
図１及び図８に示すように、図８は、別のストレッチ運動を表しており、このストレッチ運動では、使用者は両足を交互にストレッチすることができ、図に示すような実施形態では、力を加えてストレッチを行うが、ここでは、左足で前記左ペダル３５を踏み、左足裏を上向きに回動させて力を加えるとともに、対応する前記弾性リング３６を引っ張り、さらに左足のかかとを下に向けることで左足をストレッチし、同時に右足で前記右ペダル３４を踏み込み、右足裏を、前に向かって下向きにして力を加えれば、右足のかかとを上に向けることでストレッチを行わず、両足を交互に揺動させれば、両足に対して交互にストレッチ運動を行うことができる。
【符号の簡単な説明】
【００２２】
１０          本体
１１          底部フレーム
１１１        前部バー
１１２        後部バー
１２          立柱フレーム
１２１        グリップ
１３          ディスプレイ
２０          減衰機構
２１          管体
２１０        ガイド溝
２１１        位置決めベース
２１２        調節ネジ
２１３        位置決めロッド
２２          エアシリンダ
２２１        シリンダチューブ
２２２        位置決め孔
２２３        ガイドピン
２２４        伸縮ロッド
２３          シートクッション
３０          ペダルユニット
３１          ロッド台
３１１        主軸
３２          右支持台
３２１        右掛合ロッド
３３          左支持台
３３１        左掛合ロッド
３４          右ペダル
３４１        右底部ロッド
３４２        右支持ロッド
３４３        主軸ベース
３５          左ペダル
３５１        左底部ロッド
３５２        左支持ロッド
３５３        主軸ベース
３６          弾性リング
４０          角度検出器
【図１】
0003230410.tif 000003
【図２】
0003230410.tif 000004
【図３】
0003230410.tif 000005
【図４】
0003230410.tif 000006
【図５】
0003230410.tif 000007
【図６】
0003230410.tif 000008
【図７】
0003230410.tif 000009
【図８】
0003230410.tif 000010